【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
１組のディスプレイ属性が関連付けられているディスプレイ部に対して、表示データストリームを提供するよう構成された設定可能なリアルタイムデータプロセッサであって、
入力データストリームを受信するようそれぞれ構成された複数のポートと、
前記ポートの１つに接続されたフォーマット変換部であって、必要に応じて、対応する入力データストリームをプログレッシブ形式のデータストリームに変換するよう構成されたフォーマット変換部と、
前記複数のポートの内の関連するポートにそれぞれ接続され、対応する入力データストリームを、変換済みデータストリーム属性が関連付けられている対応する変換済みデータストリームに変換するのに適した複数の適応画像変換部と、
前記変換済みデータストリームを合成して、合成データストリームを形成するよう構成された画像合成部と、
前記合成データストリームをエンハンスして、エンハンスデータストリームを形成するよう構成された画像エンハンサ部と、
前記エンハンス済みのデータストリームを処理して、前記表示データを形成するよう構成されたディスプレイ部インターフェースと、
前記画像変換部の各々および前記画像合成部に双方向で接続され、前記画像変換部からの前記データストリームの内の選択されたデータストリームの選択された部分を格納すると共に、必要に応じて、前記選択された部分を前記画像合成部に供給するメモリ部と、を備える、設定可能なリアルタイムデータプロセッサ。
【請求項２】
請求項１に記載の設定可能なリアルタイムデータプロセッサはさらに、
前記変換済みデータストリームが、プログレッシブ走査形式のデータストリームとなるように、プログレッシブ走査タイミング信号を前記変換部に対して提供するよう構成されたプログレッシブ走査タイミング生成部を備える、設定可能なリアルタイムデータプロセッサ。
【請求項３】
請求項１に記載の設定可能なリアルタイムデータプロセッサはさらに、
前記フォーマット変換部に接続され、必要に応じて、インターレース形式のビデオストリームにおけるインターレースを解除するよう構成されたインターレース解除部を備える、設定可能なリアルタイムデータプロセッサ。
【請求項４】
請求項２に記載の設定可能なリアルタイムデータプロセッサにおいて、前記変換部はさらに、
各変換済みデータストリームを表示フレームレートに同期させるよう構成されたフレームレート変換部を備える、設定可能なリアルタイムデータプロセッサ。
【請求項５】
請求項４に記載の設定可能なリアルタイムデータプロセッサにおいて、前記表示フレームレートは、選択されたフレームレートに固定される、設定可能なリアルタイムデータプロセッサ。
【請求項６】
請求項５に記載の設定可能なリアルタイムデータプロセッサにおいて、前記固定されたフレームレートは、前記入力データストリームの内の１つに対応する、設定可能なリアルタイムデータプロセッサ。
【請求項７】
請求項５に記載の設定可能なリアルタイムデータプロセッサにおいて、前記表示フレームレートは、フリーランニングフレームレートである、設定可能なリアルタイムデータプロセッサ。
【請求項８】
請求項１に記載の設定可能なリアルタイムデータプロセッサにおいて、前記ポートは、
ビデオデータを受信するよう構成されたビデオ受信ポートと、
ユーザ入力コマンドを受信するよう構成されたユーザインターフェースポートと、
ネットワークに対して双方向に接続され、前記ネットワークと、パケットデータをやり取りするよう構成されたネットワークインターフェースとを備える、設定可能なリアルタイムデータプロセッサ。
【請求項９】
請求項１に記載の設定可能なリアルタイムデータプロセッサにおいて、前記データプロセッサは、集積回路である、設定可能なリアルタイムデータプロセッサ。
【請求項１０】
請求項１に記載の設定可能なリアルタイムデータプロセッサにおいて、前記ディスプレイ属性は、拡張ディスプレイ認識データ（ＥＤＩＤ）である、設定可能なリアルタイムデータプロセッサ。
【請求項１１】
請求項６に記載の設定可能なリアルタイムデータプロセッサにおいて、前記ディスプレイ部インターフェースはさらに、
前記ディスプレイ部が、インターレース型のディスプレイ部である場合に、プログレッシブ走査画像をインターレース化するよう構成されたインターレース化部と、
前記ディスプレイ部が、プログレッシブ走査型のディスプレイ部である場合に、前記インターレース化部を迂回するよう構成されたプログレッシブ走査バイパス部と、を備える、設定可能なリアルタイムデータプロセッサ。
【請求項１２】
１組のディスプレイ属性が関連付けられているディスプレイ部に対して、データストリームを適応させて提供する方法であって、
複数の入力データストリームを、複数の対応する入力ポートで受信する工程と、
前記入力データストリームを、変換済みデータストリーム属性が関連付けられている、対応する変換済みデータストリームに変換する工程と、
前記変換済みデータストリームを画像合成部によって合成する工程と、
前記合成されたデータストリームをエンハンスする工程と、
前記エンハンスされたデータストリームを前記ディスプレイ部での表示のために処理する工程と、を備える、方法。
【請求項１３】
請求項１２に記載の方法さらに、
前記変換済みデータストリームが、プログレッシブ走査形式のデータストリームとなるように、プログレッシブ走査タイミング信号を提供する工程を備える、方法。
【請求項１４】
請求項１２に記載の方法はさらに、
前記データストリームの内の選択されたデータストリームの選択された部分をメモリ部に格納する工程と、
必要に応じて、前記選択された部分を前記合成部に供給する工程と、を備える、方法。
【請求項１５】
請求項１３に記載の方法はさらに、
各変換済みデータストリームを表示フレームレートに同期させる工程を備える、方法。
【請求項１６】
請求項１５に記載の方法はさらに、
前記表示フレームレートを、選択されたフレームレートに固定する工程を備える、方法。
【請求項１７】
請求項１６に記載の方法において、前記固定されたフレームレートは、前記入力データストリームの内の１つに対応する、方法。
【請求項１８】
請求項１５に記載の方法において、前記表示フレームレートは、フリーランニングフレームレートである、方法。
【請求項１９】
請求項１２に記載の方法において、前記ポートは、
ビデオデータを受信するよう構成されたビデオ受信ポートと、
ユーザ入力コマンドを受信するよう構成されたユーザインターフェースポートと、
ネットワークに対して双方向に接続され、前記ネットワークと、パケットデータをやり取りするよう構成されたネットワークインターフェースとを備える、方法。
【請求項２０】
請求項１２に記載の方法において、前記データプロセッサは集積回路である、方法。
【請求項２１】
請求項１２に記載の方法において、前記ディスプレイ属性は、拡張ディスプレイ認識データ（ＥＤＩＤ）である、方法。
【請求項２２】
請求項２１に記載の方法はさらに、
前記ディスプレイ部が、インターレース型のディスプレイ部である場合に、プログレッシブ走査ビデオ画像をインターレース化し、
前記ディスプレイ部が、プログレッシブ走査型のディスプレイ部である場合に、前記インターレース化工程を迂回する、方法。
【請求項２３】
１組のディスプレイ属性が関連付けられているディスプレイ部に対して、データストリームを適応させて提供するためのコンピュータプログラムを格納するコンピュータ読み取り可能媒体であって、コンピュータによって実行される、
複数の入力データストリームを、複数の対応する入力ポートで受信するためのコンピュータコードと、
前記入力データストリームを、変換済みデータストリーム属性が関連付けられている、対応する変換済みデータストリームに変換するためのコンピュータコードと、
前記変換済みデータストリームを画像合成部によって合成するコンピュータコードと、
前記合成されたデータストリームをエンハンスするためのコンピュータコードと、
前記エンハンスされたデータストリームを前記ディスプレイ部における表示のために処理するコンピュータコードとを備える、コンピュータプログラム読み取り可能媒体。
【請求項２４】
請求項２３に記載のコンピュータプログラム読み取り可能媒体はさらに、
前記変換済みデータストリームが、プログレッシブ走査形式のデータストリームとなるように、プログレッシブ走査タイミング信号を提供するためのコンピュータコードを備える、コンピュータプログラム読み取り可能媒体。
【請求項２５】
請求項２３に記載のコンピュータプログラム読み取り可能媒体はさらに、
前記データストリームの内の選択されたデータストリームの選択された部分をメモリ部に格納するためのコンピュータコードと、
必要に応じて、前記選択された部分を前記合成部に供給するためのコンピュータコードと、を備える、コンピュータプログラム読み取り可能媒体。
【請求項２６】
請求項２４に記載のコンピュータプログラム読み取り可能媒体はさらに、
各変換済みデータストリームを表示フレームレートに同期させるためのコンピュータコードを備える、コンピュータプログラム読み取り可能媒体。
【請求項２７】
請求項２６に記載のコンピュータプログラム読み取り可能媒体はさらに、
前記表示フレームレートを、選択されたフレームレートに固定するためのコンピュータコードを備える、コンピュータプログラム読み取り可能媒体。
【請求項２８】
請求項２７に記載のコンピュータプログラム読み取り可能媒体において、前記固定されたフレームレートは、前記入力データストリームの内の１つに対応する、コンピュータプログラム読み取り可能媒体。
【請求項２９】
請求項２４に記載のコンピュータプログラム読み取り可能媒体において、前記表示フレームレートは、フリーランニングフレームレートである、コンピュータプログラム読み取り可能媒体。
【請求項３０】
請求項２３に記載のコンピュータプログラム読み取り可能媒体において、前記ポートは、
ビデオデータを受信するよう構成されたビデオ受信ポートと、
ユーザ入力コマンドを受信するよう構成されたユーザインターフェースポートと、
ネットワークに対して双方向に接続され、前記ネットワークと、パケットデータをやり取りするよう構成されたネットワークインターフェースとを備える、コンピュータプログラム読み取り可能媒体。
【請求項３１】
請求項２３に記載のコンピュータプログラム読み取り可能媒体において、前記データプロセッサは集積回路である、コンピュータプログラム読み取り可能媒体。
【請求項３２】
請求項２３に記載のコンピュータプログラム読み取り可能媒体において、前記ディスプレイ属性は、拡張ディスプレイ認識データ（ＥＤＩＤ）である、コンピュータプログラム読み取り可能媒体。
【請求項３３】
請求項３０に記載のコンピュータプログラム読み取り可能媒体はさらに、
前記ディスプレイ部が、インターレース型のディスプレイ部である場合に、プログレッシブ走査ビデオ画像をインターレース化するためのコンピュータコードと、
前記ディスプレイ部が、プログレッシブ走査型のディスプレイ部である場合に、前記インターレース化を迂回するためのコンピュータコードと、を備える、コンピュータプログラム読み取り可能媒体。